(57)【要約】      （修正有）【課題】簡単な構成であり、少ない労力で短時間にある程度の重量物を人力で運搬することのできるベルト用パッド装置を提供する。【解決手段】第１、第２パッド体２０、４０は、相互に合わせられて係着する合わせ側２２，４２を有し、合わせ側で開閉自在にベルト６０を幅方向に跨って挟む。第１、第２パッド体は、それぞれベルトの幅方向に複数の可撓性芯材を分割して収容した複数の分割区画を連結し一体化して成り、さらに、第１、第２パッド体は、相互の合わせ側を閉着してベルトを挟み付けた状態で長手方向に小さな撓み量で撓む固マット体として組みつけられる。固マット体は局部的には小さな力で簡単に撓み、全体的には小さなたわみ量で撓む。複数の可撓性芯材を分割して収容しているので、それらを有効に機能させる。【選択図】図１
0003156144.tif 000002
【実用新案登録請求の範囲】
【請求項１】
相互に合わせられて係着する合わせ側を有し、合わせ側で開閉自在にベルトを幅方向に跨って挟む第１、第２パッド体を含み、
第１、第２パッド体は、それぞれベルトの幅方向に複数の可撓性芯材を分割して収容した複数の分割区画を連結し一体化して成り、
さらに、第１、第２パッド体は、相互の合わせ側を閉着してベルトを挟み付けた状態でパッド全体としてベルトの湾曲より小さな撓み量で撓む固マット体として組みつけられることを特徴とするベルト用パッド装置。
【請求項２】
相互の合わせ側にベルトを挟み込んで閉着パッドとした状態で少なくともベルトの長手方向にベルトと閉着パッドとの位置がずれるのを防止する位置ずれ防止手段を備えたことを特徴とするベルト用パッド装置。
【請求項３】
複数の可撓性芯材を分割して収容した分割区画どうしを近接に併設して第１、第２パッド体を係着保持させることによりベルトの幅方向に対するベルトと閉着したパッドとの相対位置ずれを防止する幅方向ガタツキ防止構造を備えていることを特徴とする請求項１又は２記載のベルト用パッド装置。
【請求項４】
第１、第２パッド体は自在湾曲部を介して連結一体化されていることを特徴とする請求項１ないし３のいずれかに記載のベルト用パッド装置。
【請求項５】
第１、第２パッド体は分離して別体として用意されることを特徴とする請求項１ないし３のいずれかに記載のベルト用パッド装置。
【請求項６】
パッド体は、粗面生地被覆体により芯材を含むスタッフ部材を被覆して縫着してなることを特徴とする請求項１ないし５のいずれかに記載のベルト用パッド装置。
【請求項７】
幅方向ガタツキ防止構造は、合わせられて閉着する合わせ側のいずれか一つの合わせ側に設けられベルトの幅方向を決めさらに段下がり状に凹設しベルトの表面側を露出する状態で収容する凹陥部と、
他の合わせ側に設けられ閉着時にベルトの露出した表面側に当接し他の細長区画よりも突出した高さで形成された凸部と、を含むことを特徴とする請求項２記載のベルト用パッド装置。
【請求項８】
第１、第２パッド体は、ベルトの長手方向に沿うように一方向に長く形成されていることを特徴とする請求項１ないし７のいずれかに記載のベルト用パッド装置。
【考案の詳細な説明】
【技術分野】
【０００１】
本考案は、荷物にベルトを掛けた状態で人が人力でその荷物を運搬する際のベルト用パッド装置に関する。
【背景技術】
【０００２】
ある程度以上の重量物を、数メートルあるいはそれ以上の距離で移動させる場合や台車などが使用困難な狭小区間さらには床面のアップダウンが大きな場所で物品を移動させる場合に両手で直接に物品を把持して運搬する場合がある。物品が例えば１５ｋｇ以上程度となると両手で直接把持により数十メートル離れた場所に移動させるのは労力がかかり、運搬時間がかかる上、途中での休憩や取り落としを伴い、さらに苦痛を伴う。このような場合に物品にベルトを掛けて人の肩などにベルトを掛けまわして運搬することが考えられる。しかしながら、単にベルトのみを肩などに掛け回してもベルトが食い込んで局部的な苦痛を伴う。このような場合にベルトが当たる肩部分にベルトを挿通させて取り付けられた肩当てパッドをあてがったり、あるいは特許文献１のようなパッドを装着して運搬する提案がなされている。
【先行技術文献】
【特許文献】
【０００３】
【特許文献１】実用新案登録第３１１５９７３号公報
【考案の概要】
【考案が解決しようとする課題】
【０００４】
ベルトに挿通した肩当てパッドを肩にあてがってある程度の重量物を運搬する場合、肩当てパッドは柔軟な布や化学繊維素材を数枚重ねたものを外部カバー内に収容して縫い付けたものなどであり、運搬距離が数十メートルとなると結局ベルトが肩に食い込んで痛みを生じ、短時間で楽に運搬することは困難である。また、特許文献１の肩当てパッドでは、ザック類用のパッドであり、例えば４０ｋｇ程度で大きさが嵩張る空調用エアーコンディショナーの室外機などの運搬には両手を広げて把持した状態で運ぶ必要があるから、ザック内に収容することができないとともに、特許文献１のものでは人が背中に背負った状態でのみしか使用することができず、使い勝手が劣る。また、乗馬用の鞍のような本体形状の骨材の裏面にクッション材を張り合わせて製作するから、全体重量が重くまた大型となり運搬に負担がかかる上に、装着作業が煩雑で保管や取り扱いの利便性が劣る。また、目的地に着いて背中のザックを降ろすときに、鞍形状のパッドのために降ろしにくく降ろす作業を補助する補助者がもう一人必要となる問題があった。
【０００５】
本考案は上記従来の課題に鑑みてなされたものであり、その目的は、簡単な構成であり、少ない労力で短時間にある程度の重量物を人力で運搬することのできるベルト用パッド装置を提供することにある。また、本考案の他の目的は、物品の運搬のためのベルト装着、荷降ろし作業を一人でも簡易かつ円滑に行なえるベルト用パッド装置を提供することにある。
【課題を解決するための手段】
【０００６】
上記課題を解決するために本考案は、相互に合わせられて係着する合わせ側２２，４２を有し、合わせ側で開閉自在にベルト６０を幅方向に跨って挟む第１、第２パッド体２０，４０を含み、第１、第２パッド体は、それぞれベルトの幅方向に複数の可撓性芯材７０を分割して収容した複数の分割区画２４，４４を連結し一体化して成り、さらに、第１、第２パッド体２０，４０は、相互の合わせ側２２，４２を閉着してベルト６０を挟み付けた状態でパッド全体としてベルトの湾曲より小さな撓み量で撓む固マット体として組みつけられるベルト用パッド装置１０から構成される。第１、第２パッド体は、分割していても柔軟な繊維、合成樹脂シート、可撓性金属材などで常時は連結状態としているものでも良い。可撓性芯材による分割区画は合成樹脂や布、紙、木、竹、金属等を組み合わせて一体的に構成してもよく、また、実施形態のように耐久性を有する粗面生地被覆シートにより内部の可撓性芯材を被覆して周囲を縫着させる等により製作してもよい。その際、肩に当たる部位は柔らかい素材で、かつベルトに当たる側はベルトとの相対位置ずれしにくい表面側の摩擦係数が高い素材で構成すると良い。パッド体の形状は楕円、円、多角形状、その他任意の外形輪郭形状とすることもできる。
【０００７】
その際、相互の合わせ側２２，４２にベルト６０を挟み込んで閉着パッドとした状態で少なくともベルト６０の長手方向にベルトと閉着パッドとの位置がずれるのを防止する位置ずれ防止手段５０を備えるとよい。
【０００８】
また、複数の可撓性芯材７０を分割して収容した分割区画２４，４４どうしを近接に併設して第１、第２パッド体を係着保持させることによりベルト６０の幅方向に対するベルトと閉着したパッドとの相対位置ずれを防止する幅方向ガタツキ防止構造Ｒを備えるとなおよい。幅方向に複数の可撓性芯材を分割して収容した複数の分割区画を連結し一体化した構成を実現しつつ同時に幅方向ガタツキ防止機能を簡単に構成させる。
【０００９】
また、第１、第２パッド体２０，４０は自在湾曲部６２を介して連結一体化されているとよく、保管や管理の面で有利である。
【００１０】
また、第１、第２パッド体２０，４０は分離して別体として用意してもよい。
【００１１】
また、パッド体２０，４０は、粗面生地被覆体（１００）により芯材７０を含むスタッフ部材９０を被覆して縫着して形成してもよい。
【００１２】
また、幅方向ガタツキ防止構造ｒは、合わせられて閉着する合わせ側２２，４２のいずれか一つの合わせ側（４２）に設けられベルト６０の幅方向を決め、さらに、段下がり状に凹設しベルトの表面側を露出する状態で収容する凹陥部５６と、他の合わせ側（２２）に設けられ閉着時にベルト６０の露出した表面側に当接し他の分割区画（２４ａ、２４ｃ）よりも突出した高さで形成された凸部５８と、を含むとよい。
【００１３】
また、第１、第２パッド体２０，４０は、ベルト６０の長手方向に沿うように一方向に長く形成されている構成としてもよく、肩の広い範囲について固マット体による痛み抑制機能を有する。
【考案の効果】
【００１４】
本考案のベルト用パッド装置によれば、相互に合わせられて係着する合わせ側を有し、合わせ側で開閉自在にベルトを幅方向に跨って挟む第１、第２パッド体を含み、第１、第２パッド体は、それぞれベルトの幅方向に複数の可撓性芯材を分割して収容した複数の分割区画を連結し一体化して成り、さらに、第１、第２パッド体は、相互の合わせ側を閉着してベルトを挟み付けた状態でパッド全体としてベルトの湾曲より小さな撓み量で撓む固マット体として組みつけられる構成であるから、パッド全体としては硬いマット状の構成でしかも局部的には柔軟に撓むので、早期に痛みを生じることなく少ない労力で短時間にある程度の重量物を人力で簡易に運搬することができる。また、構成も極めて簡単であるから低廉なコストで製作できる上、ベルト装着、荷降ろし作業も一人の作業でも労力を要することなく簡単に行なうことが可能である。
【００１５】
また、相互の合わせ側にベルトを挟み込んで閉着パッドとした状態で少なくともベルトの長手方向にベルトと閉着パッドとの位置がずれるのを防止する位置ずれ防止手段を備えた構成であるから、ベルト端部側において直接に連結した物品の負荷バランスによりベルトと肩部との当接位置が変動し肩部へベルトが食い込んで痛みを生じることが少なくなる。
【００１６】
また、複数の可撓性芯材を分割して収容した分割区画どうしを近接に併設して係着保持させることによりベルトの幅方向に対するベルトと閉着したパッドとの相対位置ずれを防止する幅方向ガタツキ防止構造を備えた構成であるから、ベルトの幅方向についてもベルトとパッド体とのずれがなく、安定して楽に短時間で荷物を運搬することができる。また、複数の可撓性芯材を分割収容構成とあいまって、ベルトの湾曲と異なる撓み量のパッド形成と同時に、ベルトの幅方向についてのパッドとの係着保持構成を簡易に実現することができる。
【００１７】
また、第１、第２パッド体は自在湾曲部を介して連結一体化されていることにより、取り扱い、管理を行ないやすく、紛失等を防止できる。
【００１８】
また、第１、第２パッド体は分離して別体として用意されることにより、各パッド体を個別に製作でき、また、使用による耐久期間経過後の交換などを単体で簡単に行なえる。
【００１９】
また、パッド体は、粗面生地被覆体により芯材を含むスタッフ部材を被覆して縫着してなる構成であるから、肩等の人体の一部に当てる際の柔軟性を含む装着感の良さや、摩擦抵抗による長手及び幅方向への位置ずれ防止機能を同時にかつ有効に実現しうる。
【００２０】
また、幅方向ガタツキ防止構造は、合わせられて閉着する合わせ側のいずれか一つの合わせ側に設けられベルトの幅方向を決め、さらに、段下がり状に凹設しベルトの表面側を露出する状態で収容する凹陥部と、他の合わせ側に設けられ閉着時にベルトの露出した表面側に当接し他の細長区画よりも突出した高さで形成された凸部と、を含む構成であるから、複数の可撓性芯材を分割収容構成と同時に、挟み付け時の幅方向、長手方向の位置ずれ防止構成を簡易に実現することが可能である。
【００２１】
また、第１、第２パッド体は、ベルトの長手方向に沿うように一方向に長く形成されている構成であるから、肩等へ本装置を装着したときに痛み軽減部位を大きく、広く確保でき、長い時間の運搬等作業を楽に行なわせることが可能である。
【図面の簡単な説明】
【００２２】
【図１】本考案の実施形態に係るベルト用パッド装置を開放させた状態を一部省略のベルトとともに示した斜視図である。
【図２】図１のベルト用パッド装置の平面図である。
【図３】図１のベルト用パッド装置の短辺方向から見た端面図である。
【図４】図１の装置のパッド体を閉着させた状態を一部省略のベルトとともに示した斜視図である。
【図５】図１の装置のパッド体を閉着させて短辺方向から見た端面図である。
【図６】図３の装置の縦断面図である。
【図７】図１の装置の使用状態を示す説明図である。
【図８】図１の装置の使用状態を示す他の説明図である。
【図９】図１の装置の使用状態を示す他の説明図である。
【考案を実施するための形態】
【００２３】
以下添付図面を参照しつつ本考案のベルト用パッド装置の実施形態について説明する。図１ないし図６は、本考案のベルト用パッド装置の一実施形態を示しており、図１，２において、ベルト用パッド装置１０は、第１、第２パッド体２０，４０を含み、両パッド体でベルト６０を着脱自在に挟み付けた状態とし、同装置を肩などに当てるように装着して使用される。装着時にはベルト用パッド装置１０はベルトと異なる撓み量を有して撓み、さらに、固いマットのように局部的に押圧すると局所的に弾性変形するが面全体について押圧すると接触部分全体で荷重を受けて極めて小さな撓み量で凹み変形する。
【００２４】
本実施形態において、図１，３に示すように、第１、第２パッド体２０，４０は、断面視で低い段差で凹凸を形成して全体としてそれぞれ扁平な長板状に形成されている。さらに、本実施形態において、第１、第２パッド体２０，４０は、自在湾曲部６２を介して連結一体化され、この自在湾曲部６２で図３、図５に示すように、連結されたままで相互のパッド体２０，４０がそれぞれの内面側を合わせて閉着する状態（図５）と、展開する状態（図３）となる。すなわち、自在湾曲部６２は第１、第２パッド体２０，４０を連結させた状態で内面側を開閉するいわば自在ヒンジ機構を形成する。本実施形態では、第１、第２パッド体２０，４０は、一方向に長い長方形状で形成されており、図１，２に示すように、自在湾曲部６２で短辺側を幅方向に曲げて第１、第２合わせ側を合わせることによりベルトを挟んだ状態に閉鎖する態様と開いてベルトから離脱させる態様とを選択できるようになっている。
【００２５】
図１，２において、第１、第２パッド体２０，４０は相互に合わせられて係着する合わせ側２２，４２を備えている。合わせ側２２，４２は、第１、第２パッド体２０，４０のそれぞれの内面側であり、この合わせ側２２，４２でベルト６０をそのベルトの幅方向に跨るように挟み付ける。第１、第２パッド体２０，４０は一方向に長く形成されており、両パッド体の長手方向にベルト６０の長手方向が一致するように方向を合わせ配置させて両パッド体が閉止される。
【００２６】
第１、第２パッド体２０，４０は、それぞれ耐磨耗性、高強度の複数のシート生地の間にスタッフ部材９０を充填し該スタッフ部材９０を被覆して工業用糸で全体外縁並びに区画部外縁を縫着して形成しており、これによって、接触部分全体で荷重を受けて小さな凹み量で凹み変形するマット状体を構成している。実施形態では、内側に複数のスタッフ部材９０を配置させ、２枚の同じ大きさの高強度シートに挟んで該シートを重ね合わせてそれらのスタッフ部材９０の外形輪郭よりやや大きい面積とする外形部分で縫合して１つの固いマット状のパッド装置としている。図２の破線は工業用糸を示しており長辺に沿って７本の縫合線で縫着され、また、短辺側も図示省略しているが両端の内縁部分に各１本の縫合線で縫着されて後述する分割区画を縫合線で閉鎖状に区画している。各分割区画にはスタッフ部材が充填される。
【００２７】
本考案において、一つの特徴的なことは、第１、第２パッド体２０，４０はそれぞれ、ベルト６０の幅方向にスタッフ部材としての複数の可撓性芯材７０を分割して収容した複数の分割区画８０を連結し一体化して形成したことであり、これによって、マットのように全体の撓み量が小さくしかも局部的には柔軟な固マット体として構成される。また複数の可撓性芯材７０を分割して収容した複数の分割区画８０を並列配置し連結一体化しているので、ベルトの幅方向ガタツキ防止機能を有する。同時に、ベルトとパッド体相互の長手方向位置ずれ防止機能を行なう。すなわち、実施形態において、被覆シート１００は、ポリエステル帆布織物に塩化ビニル樹脂を含浸加工した高耐久、防水シートからなり、シート表面は多くの凹凸を形成して表面素材自体の大きな摩擦係数と、シート表面全体に分布する多数の凹凸のためにパッド全体が極めて滑りにくいものとなっている。そして、被覆シート１００に第１、第２パッド体２０，４０それぞれについて３個づつの可撓性芯材７０を分割して収容させ、縫合糸２４で区画線に沿って縫合することで同シート１００に複数の可撓性芯材７０を分割状態で内蔵させている。
【００２８】
図３において、第１パッド体２０は少なくとも１つについて他の２つと厚みの異なる３つの一方向に長い分割区画２４ａ、２４ｂ、２４ｃを有するとともに、第２パッド体４０は、それらに対応した少なくとも１つについて他の２つと厚みの異なる３つの一方向に長い分割区画４４ａ、４４ｂ、４４ｃを有している。第１パッド体２０の第１合わせ側２２に、分割区画２４ａ、２４ｂ、２４ｃが形成されるとともに、第２パッド体４０の第２合わせ側４２に、分割区画４４ａ、４４ｂ、４４ｃが形成される。第１パッド体２０の中央の分割区画２４ｂは端面視で他の２つよりも高いやや扁平な矩形台状に突出形成されるているとともに、第２パッド体４０の中央分割区画４４ｂは、両側の２つよりも低い台として凹設される高さで設けられている。そして図１、３に示すように、第２パッド体４０の中央分割区画４４ｂの上面にその長手方向を同じにしてベルト６０を配置すると、両側の分割区画４４ａ、４４ｃで幅を決められて中央分割区画による凹部上に収容される。この状態で、自在屈曲部６２部分で折り曲げて両合わせ側２２，４２を合わせると両パッドの対応する分割区画の合わせ側の面どうしが当接し、この際、ベルト６０はそれぞれ中央の分割区画２４ｂ、４４ｂの合わせ側面間（図５）で挟み付けられる（図４）。
【００２９】
第１、第２パッド体２０，４０の各中央分割区画の表面同士が密着されてベルトを挟み付ける部分がベルトの挟持部とされる。すなわち、第２パッド体４０にはベルトの幅方向を決めて収容するように段下がり状に凹設した凹陥部５６が設けられ、第１パッド体２０には、第１合わせ側２２の閉着時にベルトの露出した表面側に当接し他の分割区画よりも突出した高さで形成された凸部５８が設けられている。凹陥部５６及び凸部５８は幅方向ガタツキ防止構造Ｒを構成する要素である。すなわち、幅方向ガタツキ防止構造Ｒは、複数の可撓性芯材を分割して収容した分割区画２４，４４を密着状に係着保持させることにより、ベルトと閉着したパッドとがベルトの幅方向に位置ずれするのを防止する。
【００３０】
図１，２において、第１合わせ側２２の図３上左端側分割区画２４ａ上面には長手方向離隔位置に３個の第１面ファスナ部材が取り付けられているとともに、第２合わせ側４２の図３上右端側分割区画４４ｃ上面には第１合わせ側２２の３個の第２面ファスナ部材取り付け位置に対応する長手方向離隔位置であって３個の第１面ファスナ部材にそれぞれ係脱自在に係着する３個の面ファスナ部材が取り付けられている。第１、第２面ファスナ部材は、第１、第２パッド体２０，４０の閉着係止手段３０である。
【００３１】
第１、第２パッド体２０，４０をベルト６０の幅方向に複数の可撓性芯材７０を分割して収容した複数の分割区画２４，４４を連結し一体化しているので、第１、第２パッド体は、相互の合わせ側を閉着してベルトを挟み付けた状態でパッド全体としてベルトの湾曲より小さな撓み量で撓む固マット体として組みつけられる。また、全体の撓み量が小さくしかも局部的には柔軟なマット状のパッド体とするとともに、ベルトの幅方向についての装着位置を決める機能をあわせ有する。
【００３２】
上記のように、パッド体２０，４０は、多くの凹凸を形成したシート表面を有する被覆シート１００としての粗面生地被覆体により芯材７０を含むスタッフ部材９０を被覆して縫着している。これによって、両合わせ側２２，４２間にベルト６０を挟み付けて閉着させたときにベルトと合わせ面のパッド体表面間に大きな摩擦力を生じ、ベルトの長手方向にベルトと閉着パッドとの位置がずれるのを防止する位置ずれ防止手段５０の１つの要素を構成する。
【００３３】
実施形態において、可撓性芯材７０は、被覆シート１００に被覆されて全体の撓み量を小さくしかも局部的に柔軟ないわば固いマットからなるパッド体を構成するスタッフ材であり、例えばある程度の曲げ性を有する基層に繊維糸を織り込んだパイルを片面に固定したモケットなどが用いられる。この際、装着時に肩に当たる側に柔らかい素材のパイルを配置させて縫い込むのが好ましい。
【００３４】
本実施形態のベルト用パッド装置を使用する場合には、図１、図２のように、展開状態の第２パッド体の第２の分割区画４４ｂ上部の凹陥部５６にベルトを載置して収容させ、自在湾曲部６２を介して両合わせ側２２、４２を面合わせするように閉着する。この際、閉着係止手段３０の面ファスナにより簡単に長方形の短辺部を２つ折り状態で閉止させる（図４）。この状態でベルト６０（の一部）は第１、第２分割区画２４ｂ、４４ｂのそれぞれの表面間に挟み付けられた状態で保持される。この状態で、ベルト用パッド装置１０は、幅方向タガツキ防止構造Ｒ及び位置ずれ防止手段５０により、ベルトの幅方向及び長手方向のいずれの方向についてもベルト６０との相対移動方向について大きな摩擦力と移動規制機能が働き、ベルトに連結した物品の負荷バランスによりベルトと肩部との当接位置が変動し肩部へベルトが食い込んで痛みを生じることが少なくなる複数の可撓性芯材を分割収容する複数の分割区画を一体化して両パッド体を構成し、これらにベルトを挟み付けた状態で用いるから、第１、第２パッド体は、相互の合わせ側を閉着してベルトを挟み付けた状態でパッド全体としてベルトの湾曲より小さな撓み量で撓む固マット体として組みつけられる結果、複数の分割区画により肩などに装置を装着したときに、肩の形状に馴染みやすくしかも局部的なやわらかさと全体としては固いマット状のパッドが構成され、肩などへの食い込みによる痛みが装着時にはほとんどなく、長時間装着状態で運搬作業等を行なっても痛みや労力を感じにくい。同時にベルトによる物品の把持は安定して確実に行なわれる。また、中間の自在湾曲部６２により面合わせ状に開閉するから、ベルトの外部から簡単に装着できる。例えば、図７に示す片方の肩に本装置を配置させてベルとを掛けて片掛け状態で物品Ｕを運搬したり、図８、図９のように掛けまわして運搬することができる。実験では、図８の姿勢では例えば５０ｋｇ程度の重量物でも両手がフリーで自由に使える状態として１０分間程度の運搬作業を楽に行なえることが証明されている。
【００３５】
以上説明した本考案のベルト用パッド装置は、上記した実施形態の構成のみに限定されるものではなく、実用新案登録請求の範囲に記載した考案の本質を逸脱しない範囲においてなされる改変も本考案に含まれる。
【産業上の利用可能性】
【００３６】
本考案のベルト用パッド装置は、人力による物品等の運搬だけでなく、赤ちゃんやその他の人の抱きかかえ、背負う作業にも好適に用いることができる。特に、例えば３０ｋｇ以上程度の重量物の運搬、有効な手掛り部を持たない物品の運搬などに効果的に適用可能である。
【符号の説明】
【００３７】
１０  ベルト用パッド装置
２０  第１パッド体
２２  第１合わせ側
２４  分割区画
４０  第２パッド体
４２  第２合わせ側
４４  分割区画
５０  位置ずれ防止手段
６０  ベルト
６２  自在湾曲部
７０  可撓性芯材
９０  スタッフ部材
Ｒ  幅方向ガタツキ防止構造
【図１】
0003156144.tif 000003
【図２】
0003156144.tif 000004
【図３】
0003156144.tif 000005
【図４】
0003156144.tif 000006
【図５】
0003156144.tif 000007
【図６】
0003156144.tif 000008
【図７】
0003156144.tif 000009
【図８】
0003156144.tif 000010
【図９】
0003156144.tif 000011